(57)【要約】【課題】容易に仕様を変更できるプロジェクタを提供すること。【解決手段】プロジェクタ１は、光源ランプと、この光源ランプから射出された光束を画像情報に応じて変調し光学像を形成する液晶パネルと、光源ランプおよび液晶ランプを含む装置本体を収納する外装ケース２とを備え、この液晶パネルで形成された光学像を拡大投写し、外装ケース２に着脱可能に取り付けられた蓋部材８０と、この蓋部材８０内部に交換可能に収納されてプロジェクタ１の機能を拡張するための拡張ボードとを備え、当該拡張ボードは、予め用意された異なる拡張機能を有する複数種類の拡張ボードの中から選択されたものである。【選択図】            図１
2004264759.tif 000002
【特許請求の範囲】
【請求項１】
光源と、この光源から射出された光束を画像情報に応じて変調し光学像を形成する光変調装置と、該光源および該光変調装置を含む装置本体を収納する筐体とを備え、この光変調装置で形成された光学像を拡大投写するプロジェクタであって、
前記筐体に着脱可能に取り付けられた蓋部材と、この蓋部材内部に交換可能に収納されて当該プロジェクタの機能を拡張するための拡張ボードとを備え、
当該拡張ボードは、予め用意された異なる拡張機能を有する複数種類の拡張ボードの中から選択されたものであることを特徴とするプロジェクタ。
【請求項２】
請求項１に記載のプロジェクタにおいて、
前記拡張ボードは、基板と、この基板上に実装されて画像情報を生成して前記装置本体に出力する演算処理装置とを備えていることを特徴とするプロジェクタ。
【請求項３】
請求項２に記載のプロジェクタにおいて、
前記蓋部材は、板状の天面部と、この天面部の外周部分に形成され前記筐体表面に対して起立する起立壁とを備え、
この起立壁には、吸気口および排気口が形成されていることを特徴とするプロジェクタ。
【請求項４】
請求項３に記載のプロジェクタにおいて、
前記蓋部材の天面部は、矩形状とされ、
前記吸気口および排気口は、前記起立壁の交差する２面の略対角線上となる位置にそれぞれ形成されていることを特徴とするプロジェクタ。
【請求項５】
請求項４に記載のプロジェクタにおいて、
前記蓋部材の内側でかつ前記吸気口近傍には、該吸気口から吸入した空気を前記排気口に向かって供給する冷却ファンが設けられていることを特徴とするプロジェクタ。
【請求項６】
請求項５に記載のプロジェクタにおいて、
前記演算処理装置上には、前記冷却ファンの送風方向に沿って延びるヒートシンクが設けられていることを特徴とするプロジェクタ。
【請求項７】
請求項６に記載のプロジェクタにおいて、
前記演算処理装置と前記ヒートシンクとの間には、熱伝導性の弾性部材が介装され、
前記拡張ボードには、該ヒートシンクを前記基板に対して接離させることにより、該ヒートシンクの該弾性部材に対する接触状態を調整する間隔調整機構が設けられていることを特徴とするプロジェクタ。
【請求項８】
請求項５から７のいずれかに記載のプロジェクタにおいて、
前記筐体は、前記装置本体を覆う合成樹脂製の面状体と、この面状体に取り付けられる金属製の骨組部材を組み合わせたフレーム体とを備え、
該骨組部材で区画されて形成されて前記拡張ボードおよび前記冷却ファンが収納される収納部を備え、
該拡張ボードは、該収納部を構成する骨組部材に係合固定されることを特徴とするプロジェクタ。
【請求項９】
請求項８に記載のプロジェクタにおいて、
前記蓋部材の内側に配置されて、前記拡張ボードを覆うとともに、前記蓋部材の吸気口および排気口に対応した位置に吸気側連通孔および排気側連通孔が形成された金属製のシールド部材を備え、
このシールド部材は、電気的導通部材を介して前記骨組部材に導通されていることを特徴とするプロジェクタ。
【請求項１０】
請求項９に記載のプロジェクタにおいて、
前記拡張ボードは、積層配置された複数のボードを有し、
前記冷却ファンは、固定部材を介して前記シールド部材に取り付けられ、
この固定部材は、該冷却ファンの排気面の一部を覆うことにより、該冷却ファンから供給される冷却空気の一部を該ボード間に誘導する整流板を備えていることを特徴とするプロジェクタ。
【請求項１１】
請求項１０に記載のプロジェクタにおいて、
前記固定部材は、前記ボード上に実装された回路素子の一部に当接していることを特徴とするプロジェクタ。
【請求項１２】
請求項１０または１１に記載のプロジェクタにおいて、
前記収納部には、前記冷却ファンの送風方向に沿って延びる略箱状のハードディスクドライブが設けられ、
このハードディスクドライブは、該冷却ファンから供給される冷却空気の一部が、該ハードディスクドライブの側面に当たるとともに上面に沿って流れるように配置されることを特徴とするプロジェクタ。
【請求項１３】
請求項９から１２のいずれかに記載のプロジェクタにおいて、
前記収納部には、前記蓋部材外部に露出しかつ前記拡張ボードが挿入可能な挿入部を有するカードスロットが設けられ、
該挿入部には、前記シールド部材に導通されるリブが突出して形成されていることを特徴とするプロジェクタ。
【請求項１４】
請求項９から１３のいずれかに記載のプロジェクタにおいて、
前記装置本体は、前記筐体内部の空気を外部に排出する排気ファンを備え、
前記シールド部材の排気側連通孔近傍には、前記装置本体内部と連通する内部連通孔が形成されていることを特徴とするプロジェクタ。
【発明の詳細な説明】
【０００１】
【発明の属する技術分野】
本発明は、例えば、光源と、この光源から射出された光束を画像情報に応じて変調し光学像を形成する光変調装置と、該光源および該光変調装置を含む装置本体を収納する筐体とを備え、この光変調装置で形成された光学像を拡大投写するプロジェクタに関する。
【０００２】
【背景技術】
従来、光源から射出された光束を画像情報に応じて変調して光学像を形成し、拡大投写するプロジェクタが利用されている（例えば、特許文献１参照）。プロジェクタとしては、大規模店舗内やパブリックスペースに設置され、大画面表示を行うことにより、多数の観察者に種々の映像情報を提供するものがある。このような用途に供されるプロジェクタは、店舗内で鮮明な投写画像を形成できるように、高輝度の光源ランプや大口径の投写レンズが採用されており、店舗内の管理室等に設置されたパソコンとＬＡＮ（Ｌｏｃａｌ  Ａｒｅａ  Ｎｅｔｗｏｒｋ）接続されて、このパソコンから出力された画像情報を取り込んで投写する。
【０００３】
ところで、通常、パソコンとの接続を行うためのＬＡＮボードはオプション装備であるため、プロジェクタ内にＬＡＮボードを組み込む必要がある。そこで、メーカでは、ユーザからの要望に応じて、ＬＡＮボードを工場での組み立て時にプロジェクタに組み込んでいた。
【特許文献１】
特開２０００−２５８８４０号公報
【０００４】
【発明が解決しようとする課題】
しかしながら、使用開始後にユーザから仕様変更の要望があった場合、一度工場に回収してプロジェクタを分解し、ＬＡＮボードの取り外しや交換を行った後、再度組立てていた。そのため、ユーザの仕様変更等の要望に迅速に対応をすることは困難であった。
【０００５】
本発明の目的は、容易に仕様を変更できるプロジェクタを提供することにある。
【０００６】
【課題を解決するための手段】
本発明のプロジェクタは、光源と、この光源から射出された光束を画像情報に応じて変調し光学像を形成する光変調装置と、該光源および該光変調装置を含む装置本体を収納する筐体とを備え、この光変調装置で形成された光学像を拡大投写するプロジェクタであって、前記筐体に着脱可能に取り付けられた蓋部材と、この蓋部材内部に交換可能に収納されて当該プロジェクタの機能を拡張するための拡張ボードとを備え、当該拡張ボードは、予め用意された異なる拡張機能を有する複数種類の拡張ボードの中から選択されたものであることを特徴とする。
【０００７】
ここで、拡張ボードとしては、例えば、ＬＡＮ（Ｌｏｃａｌ  Ａｒｅａ  Ｎｅｔｗｏｒｋ）接続機能やメモリ機能を有するものが挙げられるほか、ＣＰＵが実装された中央処理演算機能に加えて、ＬＡＮ接続機能、メモリ機能、サウンド機能、ＳＣＳＩ（Ｓｍａｌｌ  Ｃｏｍｐｕｔｅｒ  Ｓｙｓｔｅｍ  Ｉｎｔｅｒｆａｃｅ）機能、モデム機能等を有するものが挙げられる。
この発明によれば、拡張ボードをボードタイプとし、蓋部材を筐体から取り外して拡張ボードの交換を行った後、再び蓋部材を取り付ける。あるいは、拡張ボードをＰＣカードタイプとし、蓋部材に設けたカードスロットにＰＣカードを挿抜することにより拡張ボードを交換する。したがって、様々な機能を有する拡張ボードを簡単に取り付けることができるから、プロジェクタの仕様を容易に変更できる。
【０００８】
本発明では、前記拡張ボードは、基板と、この基板上に実装されて画像情報を生成して前記装置本体に出力する演算処理装置とを備えていることが好ましい。
この発明によれば、パソコン、デジタルビデオ、デジタルビデオカメラ等に設けられたビデオボードを介して画像情報を取り込む必要がなく、例えば、ハードディスクやネットワークを介して、直接、コンテンツを取り込むことができるため、プロジェクタの使い勝手が向上する。
【０００９】
本発明では、前記蓋部材は、板状の天面部と、この天面部の外周部分に形成され前記筐体表面に対して起立する起立壁とを備え、この起立壁には、吸気口および排気口が形成されていることが好ましい。
この発明によれば、外部の空気を吸気口から吸入して、蓋部材内部に収納された拡張ボード等を冷却した後、排気口から排出することにより、拡張ボードの冷却効率を向上できる。
【００１０】
本発明では、前記蓋部材の天面部は、矩形状とされ、前記吸気口および排気口は、前記起立壁の交差する２面の略対角線上となる位置にそれぞれ形成されていることが好ましい。
この発明によれば、蓋部材内部を流れる冷却空気の経路を最も長く確保できるから、拡張ボードの冷却効率をさらに向上できる。
【００１１】
本発明では、前記蓋部材の内側でかつ前記吸気口近傍には、該吸気口から吸入した空気を前記排気口に向かって供給する冷却ファンが設けられていることが好ましい。
この発明によれば、外部から冷却空気を確実に蓋部材内部に取り込んで排出できるから、拡張ボードの冷却効率をさらに向上できる。
【００１２】
本発明では、前記演算処理装置上には、前記冷却ファンの送風方向に沿って延びるヒートシンクが設けられていることが好ましい。
この発明によれば、冷却ファンからの冷却空気をヒートシンクに長時間触れさせて、ヒートシンクを確実に冷却できるから、演算処理装置の耐久性を向上できる。
【００１３】
本発明では、前記演算処理装置と前記ヒートシンクとの間には、熱伝導性の弾性部材が介装され、前記拡張ボードには、該ヒートシンクを前記基板に対して接離させることにより、該ヒートシンクの該弾性部材に対する接触状態を調整する間隔調整機構が設けられていることが好ましい。
ここで、間隔調整機構としては、例えば、次のような構成が考えられる。すなわち、両端に互いに逆向きに雄ねじが刻設されたねじ部材と、ヒートシンクおよび基板に形成されて該ねじ部材が螺合される雌ねじ部とで間隔調整機構を構成し、ねじ部材を回転させることによりヒートシンクと基板との間隔を調整する。
ヒートシンクが演算処理装置に接近し過ぎると、ヒートシンクが弾性部材を介して演算処理装置を押圧し過ぎるおそれがある。一方、ヒートシンクが演算処理装置から離隔し過ぎると、ヒートシンクと弾性部材が十分に密着せず、演算処理装置からヒートシンクへの熱伝導性が低下する。
そこで、この発明によれば、間隔調整機構でヒートシンクおよび基板間の距離を適宜調整することにより、演算処理装置を損傷しない範囲でヒートシンクへの密着性を高めることができるから、演算処理装置の冷却効率を向上できる。
【００１４】
本発明では、前記筐体は、前記装置本体を覆う合成樹脂製の面状体と、この面状体に取り付けられる金属製の骨組部材を組み合わせたフレーム体とを備え、該骨組部材で区画されて形成されて前記拡張ボードおよび前記冷却ファンが収納される収納部を備え、該拡張ボードは、該収納部を構成する骨組部材に係合固定されることが好ましい。
この発明によれば、拡張ボードが骨組部材に係合固定されることにより、フレーム体の剛性が向上するので、フレームの構造強度を一層向上させることができる。
【００１５】
本発明では、前記蓋部材の内側に配置されて、前記拡張ボードを覆うとともに、前記蓋部材の吸気口および排気口に対応した位置に吸気側連通孔および排気側連通孔が形成された金属製のシールド部材を備え、このシールド部材は、電気的導通部材を介して前記骨組部材に導通されていることが好ましい。
この発明によれば、シールド部材が電磁シールドとしての機能するから、拡張ボードを構成するＭＰＵ等の回路素子の誤作動を確実に防止できる。
【００１６】
本発明では、前記拡張ボードは、積層配置された複数のボードを有し、前記冷却ファンは、固定部材を介して前記シールド部材に取り付けられ、この固定部材は、該冷却ファンの排気面の一部を覆うことにより、該冷却ファンから供給される冷却空気の一部を該ボード間に誘導する整流板を備えていることが好ましい。
この発明によれば、ボード間に配置されたＭＰＵ等の回路素子を確実に冷却できる。
【００１７】
本発明では、前記固定部材は、前記ボード上に実装された回路素子の一部に当接していることが好ましい。
この発明によれば、回路素子に発生した熱を固定部材に逃がして、この固定部材を冷却ファンから供給される冷却空気で冷却する。よって、固定部材がヒートシンクとして機能し、拡張ボードの冷却効率をさらに向上できる。
【００１８】
本発明では、前記収納部には、前記冷却ファンの送風方向に沿って延びる略箱状のハードディスクドライブが設けられ、このハードディスクドライブは、該冷却ファンから供給される冷却空気の一部が、該ハードディスクドライブの側面に当たるとともに上面に沿って流れるように配置されることが好ましい。
この発明によれば、冷却ファンでハードディスクドライブを確実に冷却できる。
【００１９】
本発明では、前記収納部には、前記蓋部材外部に露出しかつ前記拡張ボードが挿入可能な挿入部を有するカードスロットが設けられ、該挿入部には、前記シールド部材に導通されるリブが突出して形成されていることが好ましい。
この発明によれば、拡張ボードを抜き取る際に指先がリブに接触するため、人体表面にたまった静電気をリブを通して除去でき、拡張ボードの損傷を防止できる。
【００２０】
本発明では、前記装置本体は、前記筐体内部の空気を外部に排出する排気ファンを備え、前記シールド部材の排気側連通孔近傍には、前記装置本体内部と連通する内部連通孔が形成されていることが好ましい。
この発明によれば、前記蓋部材内部の冷却空気を、蓋部材に形成された排気口から直接排出するだけでなく、装置本体に設けられた排気ファンを利用して、装置本体の内部を通しても排出できるから、冷却効率を向上できる。
【００２１】
【発明の実施の形態】
以下、本発明の実施の一形態を図面に基づいて説明する。
（１）外観構成
図１および図２には、本発明の実施形態に係るプロジェクタ１が示されており、図１は上方前面側から見た斜視図であり、図２は下方背面側から見た斜視図である。
このプロジェクタ１は、光源から射出された光束を画像情報に応じて変調し、スクリーン等の投写面上に拡大投写する光学機器であり、後述する光学ユニットを含む装置本体を内部に収納する外装ケース２および外装ケース２から露出する投写レンズ３を備えている。このプロジェクタ１は、大型店舗内や、パブリックスペース等に設置され、投写画像を大画面表示することによって、多数の観察者に映像情報を提供するものである。
投写レンズ３は、後述する光変調装置としての液晶パネルにより光源から射出された光束を画像情報に応じて変調形成された光学像を拡大投写する投写光学系としての機能を具備するものであり、筒状の鏡筒内に複数のレンズが収納された組レンズとして構成される。
【００２２】
筐体としての外装ケース２は、投写方向に沿った奥行き寸法がこれに直交する幅方向寸法よりも大きな直方体形状をなし、装置本体を覆う面状体１０と、ケース強度を負担する後述するフレーム体とを備えて構成されている。
面状体１０は、装置本体の上部を覆うアッパーケース１１と、装置本体の下部を覆うロアーケース１２と、装置本体の前面部分を覆うフロントケース１３とを備えている。これら各ケース１１〜１３は、射出成形等によって成形された合成樹脂製の一体成形品である。
【００２３】
アッパーケース１１は、装置本体の上部を覆う筐体上面部１１Ａと、この筐体上面部１１Ａの幅方向端部から略垂下する筐体側面部１１Ｂ，１１Ｃと、筐体上面部１１Ａの後端部から略垂下する筐体背面部１１Ｄとを備えている。
このアッパーケース１１の筐体上面部１１Ａと、筐体側面部１１Ｂ，１１Ｃとが交差する稜線部分には、プロジェクタ１の投写方向略中央から後端側に向かって面取加工が施され、稜線に沿って凹状にへこんだ凹部１１１が形成されている。この凹部１１１は、プロジェクタ１を２台スタックさせた際に、２台のプロジェクタ１を連結するパイプ状の支持部材を挿入するために形成されている。
また、筐体側面部１１Ｂには、冷却空気導入用のスリット状の開口部１１２が形成されている。
【００２４】
筐体上面部１１Ａの略中央部分には、プロジェクタ１の起動・調整操作を行うための操作パネル１４が設けられている。この操作パネル１４は、起動スイッチ、画像・音声等の調整スイッチを含む複数のスイッチを備え、プロジェクタ１による投写時には、操作パネル１４中の調整スイッチ等を操作することにより、画質・音量等の調整を行うことができる。
また、筐体上面部１１Ａの投写方向前方には、複数の孔１４１が形成されていて、この内部には、後述する音声出力用のスピーカが収納されている。
これら操作パネル１４およびスピーカは、後述する装置本体を構成する制御基板と電気的に接続され、操作パネル１４による操作信号はこの制御基板で処理される。
【００２５】
筐体背面部１１Ｄは、ほぼ全面が開口された枠状に構成され、この開口部分には、画像信号等を入力するためのコネクタ群１５が露出するとともに、その隣は、光源装置を収納する開口部とされ、通常は、光源装置収納用の蓋部材１６によって覆われている。尚、コネクタ群１５は、後述する制御基板と電気的に接続され、コネクタ群１５を介して入力した画像信号は、制御基板によって処理される。
また、筐体上面部１１Ａの後端部及び筐体背面部１１Ｄの上端部分には、アッパーケース１１から着脱可能な蓋部材８０が取り付けられていて、後に詳述するが、この蓋部材８０内部には、ＬＡＮボード等の拡張ボードが収納された拡張ユニット９０が取り付けられる。
【００２６】
ロアーケース１２は、アッパーケース１１との係合面を中心としてアッパーケース１１と略対称に構成され、筐体底面部１２Ａ、筐体側面部１２Ｂ，１２Ｃ、および筐体背面部１２Ｄを備えている。
そして、筐体側面部１２Ｂ，１２Ｃ、および筐体背面部１２Ｄは、その上端部分でアッパーケース１１の筐体側面部１１Ｂ，１１Ｃ、及び筐体背面部１１Ｄの下端部分と係合する。尚、筐体背面部１２Ｄは、アッパーケース１１の筐体背面部１１Ｄと同様に、ほぼ全面が開口され、係合後の開口部分から前述したコネクタ群１５が露出するとともに、両開口部分に跨って蓋部材１６が取り付けられる。
また、筐体背面部１２Ｄの角隅部には、さらに開口部が形成されており、この開口部からインレットコネクタ１７が露出している。さらに、筐体側面部１２Ｂには、アッパーケース１１の筐体側面部１１Ｂに形成された開口部１１２に応じた位置に開口部１２２が形成されている。
【００２７】
筐体底面部１２Ａには、プロジェクタ１の後端側略中央に固定脚部１８が設けられているとともに、先端側幅方向両端に調整脚部１９が設けられている。
調整脚部１９は、筐体底面部１２Ａから面外方向に進退自在に突出する軸状部材から構成され、軸状部材自体は、外装ケース２の内部に収納されている。このような調整脚部１９は、プロジェクタ１の側面部分に設けられる調整ボタン１９１を操作することにより、筐体底面部１２Ａからの進退量を調整することができる。
これにより、プロジェクタ１から射出された投写画像の上下位置を調整し、適切な位置に投写画像を形成することができるようになる。
【００２８】
また、筐体底面部１２Ａには、筐体底面部１２Ａの略中央に投写方向に沿って延びる凸条のリブ状部２０と、このリブ状部２０と直交するようにプロジェクタ１の幅方向に沿って延びる複数のリブ状部２１，２２とが形成されている。そして、中間部分の２本のリブ状部２１の間には、詳しくは後述するが、外部から冷却空気を取り込むための吸気用開口部が形成されていて、フィルタ２３によって覆われている。このフィルタ２３で塞がれた吸気用開口部の後端側には、やはり冷却空気取り込みようの吸気用開口部２４が形成されているが、フィルタで覆われる構成とはなっていない。
プロジェクタ１の幅方向に沿って延びるリブ状部２１，２２の端部には、ねじ孔２１Ａが４箇所形成されている。このねじ孔２１Ａには、プロジェクタ１を天井吊り下げとした場合の天井吊り下げ用の金具が装着される。
さらに、筐体底面部１２Ａの装置後端側端縁には、係合部２６が形成されており、この係合部２６には、前述したコネクタ群１５を覆って塵埃等がこれらに付着することを防止するためのカバー部材が取り付けられるようになっている。
【００２９】
フロントケース１３は、前面部１３Ａおよび上面部１３Ｂを備えて構成され、前面部１３Ａの外周部分には、面外方向に延びるリブ１３Ｃが形成されており、アッパーケース１１、ロアーケース１２の投写方向先端側とこのリブ１３Ｃが係合する。
前面部１３Ａは、ロアーケース１２の筐体底面部１２Ａからアッパーケース１１の筐体上面部１１Ａに向かって装置後端側に傾斜しており、投写面から遠ざかるように傾斜している。このようにしたのは、プロジェクタ１を天井吊り下げにした際に、フロントケース１３の前面部１３Ａが下面を向くので、フロントケース１３に塵埃が付着しにくくなるためであり、通常設置の状態よりもメンテナンスしにくい天井吊り下げの場合を考慮したためである。
【００３０】
このような前面部１３Ａの略中央部分には開口部２７が形成されており、この開口部２７からは投写レンズ３が露出する。
この開口部２７には、隣接してスリット状の開口部２８が形成されており、プロジェクタ１の装置本体内部を冷却した空気は、この開口部２８から排出される。
さらに、前面部１３Ａの角隅部近傍には、開口２９が形成されており、この開口２９からは、不図示のリモートコントローラの操作信号を受信するための受光部３０がある。
尚、本例においては、プロジェクタ１の背面側にも受光部３０が設けられており、図２に示されるようにアッパーケース１１の筐体背面部１１Ｄの角隅部に受光部３０が設けられている。これにより、リモートコントローラを使用する場合、装置前面側、装置背面側のいずれの方向からもリモートコントローラの操作信号を受信することができるようになっている。
【００３１】
上面部１３Ｂは、アッパーケース１１の筐体上面部１１Ａの略中央まで延出し、具体的には図示を略したが、投写レンズ３の基端部近傍まで達している。このようにしたのは、投写レンズ３を変更する際に、フロントケース１３を取り外すだけで投写レンズ３を交換できるようにするためであり、アッパーケース１１およびロアーケース１２からフロントケース１３を取り外すと、上面部１３Ｂが外れて開口され、投写レンズ３の基端部取付部分が露出するようになっている。
【００３２】
（２）内部構成
このような外装ケース２の内部には、図３および図４に示されるように、プロジェクタ１の装置本体が収納されており、この装置本体は、光学ユニット４、制御基板５、および電源ブロック６を備えて構成される。
（２−１）光学ユニット４の構造
光学エンジンとしての光学ユニット４は、光源装置から射出された光束を画像情報に応じて変調して光学像を形成し、投写レンズ３を介してスクリーン上に投写画像を形成するものであり、図４に示されるように、ライトガイド４０という光学部品用筐体内に、光源装置や、種々の光学部品等を組み込んだものとして構成される。
このライトガイド４０は、下ライトガイド４０１、上ライトガイド４０２から構成され、それぞれは、射出成形等による合成樹脂製品である。
【００３３】
下ライトガイド４０１は、図５に示されるように、後述する光源装置が収納される光源収納部４０１Ａ及び光学部品を収納する部品収納部４０１Ｂを備え、この部品収納部４０１Ｂは、底面部４０１Ｃ及び側壁部４０１Ｄからなる上部が開口された容器状に形成され、側壁部４０１Ｄには、複数の溝部４０１Ｅが設けられている。この溝部４０１Ｅには、光学ユニット４を構成する種々の光学部品が装着され、これにより各光学部品は、ライトガイド４０内に設定された照明光軸上に精度よく配置される。上ライトガイド４０２は、この下ライトガイド４０１に応じた平面形状を有し、下ライトガイド４０１の上面を塞ぐ蓋状部材として構成される。
また、下ライトガイド４０１の光束射出側端部には、金属製の側面略Ｌ字状のヘッド体４０３が配置され、このヘッド体４０３のＬ字水平部分には、後述する光学装置４４が取り付けられるとともに、Ｌ字垂直部分には、投写レンズ３の基端部分が接合固定される。
【００３４】
このようなライトガイド４０内は、図６に示されるように、インテグレータ照明光学系４１と、色分離光学系４２と、リレー光学系４３と、光変調光学系および色合成光学系を一体化した光学装置４４とに機能的に大別される。尚、本例における光学ユニット４は、三板式のプロジェクタに採用されるものであり、ライトガイド４０内で光源から射出された白色光を三色の色光に分離する空間色分離型の光学ユニットとして構成されている。
インテグレータ照明光学系４１は、光源から射出された光束を照明光軸直交面内における照度を均一にするための光学系であり、光源装置４１１、平行化凹レンズ４１２、第１レンズアレイ４１３、第２レンズアレイ４１４、偏光変換素子４１５、および重畳レンズ４１６を備えて構成される。
【００３５】
光源装置４１１は、放射光源としての光源ランプ４１７、リフレクタ４１８、およびリフレクタ４１８の光束射出面を覆うフロントガラス４１９を備え、光源ランプ４１７から射出された放射状の光線を、平行化凹レンズ４１２及びリフレクタ４１８で反射して略平行光線とし、外部へと射出する。本例では、光源ランプ４１７として高圧水銀ランプを採用しているが、これ以外にメタルハライドランプやハロゲンランプを採用することもある。また、本例では、楕円面鏡からなるリフレクタ４１８の射出面に平行化凹レンズ４１２を配置した構成を採用しているが、リフレクタ４１８として放物面鏡を採用することもできる
【００３６】
第１レンズアレイ４１３は、照明光軸方向から見てほぼ矩形状の輪郭を有する小レンズがマトリクス状に配列された構成を具備している。各小レンズは、光源ランプ４１７から射出された光束を部分光束に分割し、照明光軸方向に射出する。各小レンズの輪郭形状は、後述する液晶パネル４４１Ｒ，４４１Ｇ，４４１Ｂの画像形成領域の形状とほぼ相似形をなすように設定される。例えば、液晶パネル４４１Ｒ，４４１Ｇ，４４１Ｂの画像形成領域のアスペクト比（横と縦の寸法の比率）が４：３であるならば、各小レンズのアスペクト比も４：３に設定される。
第２レンズアレイ４１４は、第１レンズアレイ４１３と略同様の構成であり、小レンズがマトリクス状に配列された構成を具備する。この第２レンズアレイ４１４は、重畳レンズ４１６とともに、第１レンズアレイ４１３の各小レンズの像を液晶パネル４４１Ｒ，４４１Ｇ，４４１Ｂ上に結像させる機能を有する。
【００３７】
偏光変換素子４１５は、第２レンズアレイ４１４からの光を１種類の偏光光に変換するものであり、これにより、光学装置４４での光の利用率が高められている。
具体的に、偏光変換素子４１５によって１種類の偏光光に変換された各部分光束は、重畳レンズ４１６によって最終的に光学装置４４の液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１７からの光束の略半分が利用されない。このため、偏光変換素子４１５を用いることにより、光源ランプ４１７から射出された光束を全て１種類の偏光光に変換し、光学装置４４における光の利用効率を高めている。なお。このような偏光変換素子４１５は、例えば、特開平８−３０４７３９号公報に紹介されている。
【００３８】
色分離光学系４２は、インテグレータ照明光学系４１から射出された光束を曲折する反射ミラー４２１と、２枚のダイクロイックミラー４２２，４２３と、反射ミラー４２４とを備え、ダイクロイックミラー４２２，４２３によりインテグレータ照明光学系４１から射出された複数の部分光束を赤（Ｒ）、緑（Ｇ）、青（Ｂ）の３色の色光に分離する機能を有している。尚、本例では、反射ミラー４２４は、下ライトガイド４０１に対して姿勢を調整することができるようになっている。
リレー光学系４３は、入射側レンズ４３１と、リレーレンズ４３３と、反射ミラー４３２，４３４とを備え、色分離光学系４２で分離された色光である赤色光を液晶パネル４４１Ｒまで導く機能を有している。
【００３９】
この際、色分離光学系４２のダイクロイックミラー４２２では、インテグレータ照明光学系４１から射出された光束のうち、赤色光成分と緑色光成分とは反射し、青色光成分は透過する。ダイクロイックミラー４２２によって透過した青色光は、反射ミラー４２４で反射し、フィールドレンズ４２５を通って、青色用の液晶パネル４４１Ｂに到達する。このフィールドレンズ４２５は、第２レンズアレイ４１４から射出された各部分光束をその中心軸（主光線）に対して平行な光束に変換する。他の液晶パネル４４１Ｇ，４４１Ｒの光入射側に設けられたフィールドレンズ４２５も同様である。
【００４０】
また、ダイクロイックミラー４２２を反射した赤色光と緑色光のうちで、緑色光は、ダイクロイックミラー４２３によって反射し、フィールドレンズ４２５を通って、緑色用の液晶パネル４４１Ｇに到達する。一方、赤色光は、ダイクロイックミラー４２３を透過してリレー光学系４３を通り、さらにフィールドレンズ４２５を通って、赤色光用の液晶パネル４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４２５に伝えるためである。なお、リレー光学系４３には、３つの色光のうちの赤色光を通す構成としたが、これに限らず、例えば、青色光を通す構成としてもよい。
【００４１】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される光変調装置としての液晶パネル４４１Ｒ，４４１Ｇ，４４１Ｂと、各液晶パネル４４１Ｒ，４４１Ｇ，４４１Ｂの後段に配置される視野角補正板４４３および射出側偏光板４４４と、色合成光学系としてのクロスダイクロイックプリズム４４５とを備える。
【００４２】
液晶パネル４４１Ｒ，４４１Ｇ，４４１Ｂは、例えば、ポリシリコンＴＦＴをスイッチング素子として用いたものであり、図示を省略するが、パネル本体と、このパネル本体を収納する保持枠とを備えている。このパネル本体は、対向配置される一対の透明基板内に液晶が密封封入されたものであり、一対の透明基板の入射側及び射出側には防塵ガラスが貼り付けられている。
【００４３】
このような液晶パネル４４１Ｒ，４４１Ｇ，４４１Ｂの前段に配置される入射側偏光板４４２（図６参照）は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４２５に貼り付けてもよい。
視野角補正板４４３は、基板上に液晶パネル４４１Ｇで形成された光学像の視野角を補正する機能を有する光学変換膜が形成されたものであり、このような視野角補正板４４３を配置することにより、投写画像の視野角が拡大され、かつ投写画像のコントラストが大幅に向上する。
【００４４】
射出側偏光板４４４は、液晶パネル４４１Ｇで光変調された光束のうち、所定方向の偏光光のみ透過させ、その他の光束を吸収するものであり、本例では、２枚の第１偏光板（プリポラライザ）４４４Ｐ及び第２偏光板（アナライザ）４４４Ａから構成されている。このように射出側偏光板４４４を２枚構成としたのは、入射する偏光光を、第１偏光板４４４Ｐ、第２偏光板４４４Ａのそれぞれで按分させて吸収することにより、偏光光で発生する熱を両偏光板４４４Ｐ、４４４Ａで按分させ、それぞれの過熱を抑えるためである。
【００４５】
クロスダイクロイックプリズム４４５は、射出側偏光板４４４から射出され、各色光毎に変調された光学像を合成してカラー画像を形成するものである。
クロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
このクロスダイクロイックプリズム４４５の下面には、プリズム固定板が固着され、このプリズム固定板を介して、クロスダイクロイックプリズム４４５は、前述したヘッド体４０３のＬ字水平分に接合固定される。
【００４６】
（２−２）制御基板５の構造
制御基板５は、図３に示すように、光学ユニット４の上側を覆うように配置され、２段に積層配置されるメイン基板５１を備え、上段側基板５１１には、演算処理装置等の制御部本体が実装され、下側基板５１２には、各液晶パネル４４１Ｒ，４４１Ｇ，４４１Ｂの駆動用ＩＣが実装されている。また、この制御基板５は、図示を略したが、このメイン基板５１の後端側で接続され、外装ケース２の筐体背面部１１Ｄ，１２Ｄに起立するインターフェース基板を備えている。
インターフェース基板の背面側には、前述したコネクタ群１５が実装されていて、コネクタ群１５から入力する画像情報は、このインターフェース基板を介してメイン基板５１に出力される。
メイン基板５１上の演算処理装置は、入力した画像情報を演算処理した後、液晶パネル駆動用ＩＣに制御指令を出力する。駆動用ＩＣは、この制御指令に基づいて駆動信号を生成出力して液晶パネル４４１を駆動させ、これにより、画像情報に応じて光変調を行って光学像が形成される。
【００４７】
（２−３）電源ブロック６の構造
電源ブロック６は、光学ユニット４に隣接して、プロジェクタ１の外装ケース２の投写方向に沿って延出して設けられ、図示を略したが、電源ユニット及びランプ駆動ユニットを備えている。
電源ユニットは、前述したインレットコネクタ１７に接続された電源ケーブルを通して外部から供給された電力をランプ駆動ユニットや制御基板５等に供給するものである。
ランプ駆動ユニットは、前述した光源装置４１１に安定した電圧で電力を供給するための変換回路であり、電源ユニットから入力した商用交流電流は、このランプ駆動ユニットによって整流、変換されて、直流電流や交流矩形波電流となって光源装置４１１に供給される。
このような電源ブロック６の前方には、図３に示すように、排気ファン６１が設けられており、プロジェクタ１内部の各構成部材を冷却した空気は、この排気ファン６１によって集められ、外装ケース２の開口部２８から装置外部に排出される。
【００４８】
（２−４）冷却構造
このようなプロジェクタ１内部は、光源装置４１１や電源ブロック６の発熱により加熱されるため、内部に冷却空気を循環させて、光源装置４１１、光学装置４４、電源ブロック６を効率的に冷却させる必要がある。このため、本例では、図７に示されるように３つの冷却流路Ｃ１，Ｃ２，Ｃ３が設定されている。
冷却流路Ｃ１は、インテグレータ照明光学系４１を構成する光源装置４１１及び偏光変換素子４１５を冷却する流路であり、図２における吸気用開口部２４の装置内部に設けられるシロッコファン７１で吸引した冷却空気を、ダクト７２によってライトガイド４０の光源収納部４０１Ａの側方から光源装置４１１、偏光変換素子４１５に供給し、これらを冷却する。冷却後の空気は、排気ファン６１によって吸引され、プロジェクタ１の外部に排出される。
【００４９】
冷却流路Ｃ２は、光変調及び色合成を行う光学装置４４を冷却する流路であり、図２におけるフィルタ２３が設けられた位置に形成される吸気用開口部の装置内側に設けられるシロッコファン（後述）で吸引した冷却空気を、光学装置４４の下方から上方に向かって供給して、前記の液晶パネル４４１Ｒ，４４１Ｇ，４４１Ｂや、入射側偏光板４４２、視野角補正板４４３、射出側偏光板４４４を冷却する。冷却後の空気は、メイン基板５１の下面及びアッパーケース１１の筐体上面部１１Ａに沿って流れ、メイン基板５１に実装された回路素子を冷却しながら、排気ファン６１によって外部に排出される。
【００５０】
冷却流路Ｃ３は、電源ブロック６を冷却する流路であり、電源ブロック６の後端側に設けられる吸気ファン６２により、アッパーケース１１の筐体側面部１１Ｂに形成された開口部１１２、ロアーケース１２の筐体側面部１２Ｂに形成された開口部１２２から冷却空気を取り込み、取り込まれた冷却空気の一部は、電源ユニット及びランプ駆動ユニットに供給され、これらを冷却した後、排気ファン６１によって外部に排出される。
【００５１】
（３）外装ケース２の詳細構造
（３−１）フレーム体３１の構造
このような構造のプロジェクタ１の外装ケース２をより詳細に説明する。
前述した面状体１０を構成するアッパーケース１１、ロアーケース１２の筐体の内部には、図８に示すように、フレーム体３１が設けられている。
フレーム体３１は、複数の骨組部材３２〜３５を組み合わせて構成され、各骨組部材３２〜３５が相互に組み合わされ、さらに、アッパーケース１１、ロアーケース１２の内面に取り付けられることにより、外装ケース２は、全体としての強度を確保している。
【００５２】
骨組部材３２は、アッパーケース１１の筐体側面部１１Ｃ及びロアーケース１２の筐体側面部１２Ｃの内側に起立するアルミニウム製の打抜板状体として構成される。尚、このように骨組部材３２をアルミニウム製の打ち抜き板状体としているのは、強度を確保しつつ、軽量化を図るためであり、他の骨組部材３３〜３５も同様である。
【００５３】
骨組部材３３は、一端が骨組部材３２の略中央上端で該骨組部材３２と直交するように接続され、他端が骨組部材３４と接続されるアルミニウム製の棒状部材として構成され、メイン基板５１の上方に架設される。
ここで、対向配置された骨組部材３２および骨組部材３３で区画されることにより、拡張ユニット９０が収納される収納部としてのユニット収納部３６が形成されている。
【００５４】
骨組部材３４は、アッパーケース１１の筐体側面部１１Ｂ及びロアーケース１２の筐体側面部１２Ｂに沿って伸びる側面部３４１、この側面部３４１の上端から水平に伸びる上面部３４２、及び側面部３４１と対向配置される不図示の側面部を備えたアルミニウム板を打ち抜き加工した筒状体から構成されている。
また、この骨組部材３４を構成する筒状体の装置前方側端部には、枠状部材３４３が設けられており、この枠状部材３４３には、前述した排気ファン６１が固定されている。
【００５５】
骨組部材３５は、下端がロアーケース１２の筐体底面部１２Ａに固定され、外側側面が前述した骨組部材３２に接合された櫓状の部材から構成されている。この骨組部材３５には、図示を略したが、櫓の内側に補助電源基板が設けられているとともに、その上面部３５１には、前述した音声出力用の孔１４１の下方に配置されるスピーカ１４２が取り付けられている。
また、骨組部材３５の前面部３５２の中間位置には、骨組部材３５から投写方向に突出する腕部３５３が設けられており、この腕部３５３は、フロントケース１３の開口部２９近傍まで延出しており、その先端には、リモートコントローラからの信号受信用の受光部が取り付けられている。
【００５６】
（３−２）ロアーケース１２の構造
筐体底面部１２Ａの内面側には、図９に示すように、吸気用開口部２４，２５の形成位置に応じてシロッコファン７１が取り付けられている。シロッコファン７１は、モータ及び回転羽根からなる本体と、これらを収納するケース部材７１１とを備えて構成され、回転羽根の吸気面が吸気用開口部２４，２５に対向するように配置されるとともに、ケース部材７１１の端部７１２で筐体底面部１２Ａから立設するボス１２３にねじ止め固定されている。
また、筐体底面部１２Ａの内面側には、板金１２４が設けられており、この板金１２４により、前述したヘッド体４０３、骨組部材３２〜３５と電気的に接続され、これらを電磁シールド部材として機能させる。さらに、筐体底面部１２Ａの後端側に設けられる板金１２４は、光源装置４１１の下方に位置し、光源装置４１１の発光に伴うノイズを遮蔽する。
【００５７】
（４）拡張ユニット９０の構造
拡張ユニット９０は、図１０に示されるように、ユニット収納部３６に取り付けられる。そして、このユニット収納部３６に取り付けられた拡張ユニット９０を覆うように、蓋部材８０がアッパーケース１１に取り付けられる。
蓋部材８０は、矩形板状の天面部８１と、この天面部８１の外周部分に形成され筐体表面に対して起立する起立壁８２とを備えている。この起立壁のうち交差する２面の略対角線上となる位置には、それぞれ吸気口８２Ａおよび排気口８２Ｂが形成されている。
拡張ユニット９０は、ユニット本体９１と、このユニット本体９１を覆う金属製のシールド部材９２とを含んで構成されている。
【００５８】
（４−１）シールド部材９２の構造
シールド部材９２は、蓋部材８０の内側に配置されるものであり、矩形板状の天面部９２１と、この天面部９２１の外周部分に形成されユニット本体９１に対して起立する起立壁９２２とを備えている。
起立壁９２２には、蓋部材８０の吸気口８２Ａおよび排気口８２Ｂに対応した位置に吸気側連通孔９２２Ａおよび排気側連通孔９２２Ｂが形成されているほか、この排気側連通孔９２２Ｂの下側近傍には、装置本体内部と連通する内部連通孔９２２Ｃが形成されている。
【００５９】
また、シールド部材９２において、起立壁９２２の四隅には、拡張ユニット９０を装置本体に対してねじ止め固定するためのねじ止め孔９２３が形成されている。ここで、ユニット収納部３６を形成する骨組部材３２の内側面および骨組部材３３の略中央下端部には、電気的導通部材３２１，３３１が取り付けられている。これにより、シールド部材９２を装置本体にねじ止めすると、起立壁９２２が電気的導通部材３２１，３３１に接触することになり、シールド部材９２とフレーム体３１とが電気的に導通するようになっている。
【００６０】
（４−２）ユニット本体９１の構造
図１１は、拡張ユニット９０からシールド部材９２のみを取り外したユニット本体９１を示す斜視図である。なお、以下の説明において、ユニット本体９１のシールド部材９２側を「上側」とする。
ユニット本体９１は、略矩形状の本体ボード９３、この本体ボード９３上に配置された積層ボード９４、冷却ファン９５、ハードディスクドライブ９６、およびカードスロット９７と、本体ボード９３の一辺に沿って起立する拡張コネクタ部９８とを備えている。
このうち、冷却ファン９５およびハードディスクドライブ９６は、上述のシールド部材９２に固定されるものであり、シールド部材９２を本体ボード９３に固定することにより、図１１で示される位置に配置されるようになっている。
【００６１】
本体ボード９３は、シールド部材９２を介して骨組部材３２，３３に固定されることにより、接続部分を補強して、より強固なフレーム体３１を構成する。
積層ボード９４は、複数、ここでは２つのボード９４１，９４９が積層配置されて構成される。各ボード９４１，９４９は、プロジェクタ１の機能を拡張するものであって、本体ボード９３の約半分の大きさとされている。ボード９４１，９４９のうち、上側は拡張メインボード９４１であり、下側は中間ボード９４９である。この拡張メインボード９４１については、後に詳述する。
以上の本体ボード９３、拡張メインボード９４１、および中間ボード９４９、は、請求項に記載の拡張ボードを構成し、メイン基板５１と電気的に接続される。また、これらボード９３，９４１，９４２は、予め用意された異なる拡張機能を有する複数種類のボードの中から選択されたものであって、交換可能となっている。
【００６２】
カードスロット９７は、本体ボード９３上に積層ボード９４に隣接して配置され、図示しないＰＣカードが収納される略箱状の本体９７１と、この本体の一側面に形成されて該ＰＣカードが挿入される挿入部９７２とを備えている。なお、このＰＣカードも請求項に記載の拡張ボードを構成する。
【００６３】
拡張コネクタ部９８は、拡張ユニット９０を装置本体に取り付けることにより外部に露出し、プロジェクタ１の筐体背面部１１Ｄを構成するものである。この拡張コネクタ部９８には、図１１中左側から順に、ＬＡＮコネクタ９８１、５．１ｃｈデジタルオーディオコネクタ９８２、ＵＳＢコネクタ９８３の拡張コネクタ群が設けられ、これら拡張コネクタ群は、本体ボード９３、拡張メインボード９４１、および中間ボード９４９と電気的に接続されている。
また、拡張コネクタ部９８の右端には、カードスロット９７の挿入部９７２が露出しており、これにより、挿入部９７２は蓋部材８０の外部に露出する。ここで、挿入部９７２の上下には、シールド部材９２に導通されるリブ９７３が突出して形成されるとともに、これらリブ９７３同士の間には、カードスロット９７の本体９７１からＰＣカードを取り出すためのボタン９７４が配置されている。
【００６４】
冷却ファン９５は、図１２にも示すように、吸気口８２Ａから吸入した冷却空気を排気口８２Ｂに向かって供給する軸流ファンである。この冷却ファン９５は、シールド部材９２の内側かつ吸気側連通孔９２２Ａ近傍に、この吸気側連通孔９２２Ａが形成された起立壁９２２に対して傾斜配置されている。
具体的には、冷却ファン９５は、固定部材９５１を介して、シールド部材９２の起立壁９２２に取り付けられている。
【００６５】
固定部材９５１は、冷却ファン９５を支持する本体部９５２と、この本体部９５２先端に形成された整流板９５３とで構成されている。この整流板９５３は、冷却ファン９５の排気面の一部を覆うことにより、冷却ファン９５から供給される冷却空気の一部を誘導するものであり、冷却ファン９５の送風方向に沿って延出された延出片９５３Ａと、この延出片９５３Ａ先端に折り曲げ形成されて冷却ファン９５の排気面の一部を覆う立上り片９５３Ｂとを備えている。
【００６６】
延出片９５３Ａは、本体ボード９３上に配置された回路素子９３１（図１６参照）と当接し、この回路素子９３１のヒートシンクとしての機能を有している。また、この延出片９５３Ａには、冷却ファン９５が傾斜した側に切欠き部９５３Ｃが形成されている。
立上り片９５３Ｂは、吸気側連通孔９２２Ａが形成された起立壁９２２に対して略平行に、つまり、冷却ファンの送風方向に対して傾斜して配置されており、冷却ファン９５の排気面の一部を覆っている。
【００６７】
ハードディスクドライブ９６は、冷却ファン９５に隣接配置された略箱状とされ、平面視では、冷却ファン９５の送風方向に沿って延びる略長方形状である。このハードディスクドライブ９６は、シールド部材９２の天面部９２１に支持部材９６１を介して支持されており、これにより、ハードディスクドライブ９６の上面とシールド部材９２の天面部９２１との間には空隙が形成されている。
【００６８】
（４−３）拡張メインボード９４１の詳細な構造
拡張メインボード９４１は、図１３に示すように、基板９４２と、この基板９４２上に実装された演算処理装置９４３と、この演算処理装置９４３上に設けられたヒートシンク９４５と、ヒートシンク９４５を基板９４２に対して接離させる間隔調整機構９４６とを備えている。
【００６９】
演算処理装置９４３は、画像情報を生成して装置本体のメイン基板５１に出力するものであって、基板９４２上に２つ設けられている。この演算処理装置９４３とヒートシンク９４５との間には、熱伝導性の弾性部材９４４が介装されている。
ヒートシンク９４５は、アルミ板材で形成され、平面視で、冷却ファン９５の送風方向に沿って延びる略長方形状である。このヒートシンク９４５には、図１４にも示すように、アルミ板材に円形の開口を形成し、この開口に円柱形状のアルミ材を打ち込むことにより、弾性部材９４４に向かって突出する円柱状の突出部９４５Ａが設けられている。
【００７０】
間隔調整機構９４６は、ヒートシンク９４５を基板９４２に対して接離させることにより、ヒートシンク９４５の弾性部材９４４に対する接触状態を調整するものである。
すなわち、間隔調整機構９４６は、ねじ部材９４７と、ヒートシンク９４５および基板９４２の四隅に形成されてねじ部材９４７が螺合される雌ねじ部９４８とを含んで構成されている。ねじ部材９４７は、断面６角形状の中央部９４７Ａと、この中央部９４７Ａの両端側に互いに逆向きに形成された雄ねじ部９４７Ｂとを備えている。
この間隔調整機構９４６によれば、ねじ部材９４７の中央部９４７Ａを指でつまんで回転させることにより、ねじ部材９４７の雄ねじ部９４７Ｂと、ヒートシンク９４５と基板９４２に形成された雌ねじ部９４８との螺合状態が変化して、ヒートシンク９４５と基板９４２との距離が変化する。
【００７１】
（４−４）拡張ユニット９０の冷却構造
図１５および図１６は、拡張ユニット９０からシールド部材９２のみを取り外したユニット本体９１を示す平面図および側面図である。
拡張ユニット９０では、３つの冷却流路Ｃ４，Ｃ５，Ｃ６が設定されている。具体的には、冷却ファン９５によって、蓋部材８０の吸気口８２Ａおよびシールド部材９２の吸気側連通孔９２２Ａを通して、外部の冷却空気が吸引される。その後、冷却ファン９５の排気面から供給された冷却空気は、整流板９５３の上側を流れる冷却流路Ｃ４、整流板９５３に当たって側方に流れる冷却流路Ｃ５、整流板９５３に形成された切欠き部９５３Ｃから下方に流れる冷却流路Ｃ６に分岐される。
【００７２】
冷却流路Ｃ４は、ハードディスクドライブ９６および拡張メインボード９４１のヒートシンク９４５を冷却する流路である。すなわち、整流板９５３の上側を流れる冷却空気のうち一部は、ハードディスクドライブ９６の側面に当たって、ヒートシンク９４５の方向に誘導される。残りの冷却空気は、ハードディスクドライブ９６とシールド部材９２の天面部９２１との間の空隙を流れて、ハードディスクドライブ９６の上面を冷却した後、ハードディスクドライブ９６の側面を冷却した冷却空気とともに、ヒートシンク９４５を冷却する。
【００７３】
冷却流路Ｃ５は、中間ボード９４９を冷却する流路である。すなわち、整流板９５３に当たった冷却空気は、側方に流れて中間ボード９４９と拡張メインボード９４１との間の空隙に誘導され、中間ボード９４９を冷却する。
冷却流路Ｃ６は、本体ボード９３を冷却する流路である。すなわち、整流板９５３に形成された切欠き部９５３Ｃから下方に流れた冷却空気は、本体ボード９３と中間ボード９４９との間の空隙に誘導され、本体ボード９３を冷却する。
【００７４】
以上の冷却流路Ｃ４〜Ｃ５を流れた冷却空気の一部は、シールド部材９２の排気側連通孔９２２Ｂおよび蓋部材８０の排気口８２Ｂを通して、外部に排出される。一方、残りの冷却空気は、シールド部材９２の内部連通孔９２２Ｃを通して、装置本体内部に流れ、排気ファン６１によって吸引されて、プロジェクタ１の外部に排出される。
【００７５】
（５）実施形態の効果
前述のような本実施形態によれば、次のような効果がある。
（５−１）本体ボード９３および積層ボード９４を、予め用意された複数種類の拡張ボードの中から選択されたものとし、蓋部材８０内部に交換可能に収納した。したがって、蓋部材８０を筐体から取り外して、ボード９３，９４の交換を行った後、再び蓋部材８０を取り付けることにより、様々な機能を有する拡張ボードを簡単に取り付けることができるから、プロジェクタ１の仕様を容易に変更できる。
また、蓋部材８０に設けたカードスロット９７を設けて、拡張ボードをＰＣカードタイプとしたので、ＰＣカードを挿抜することにより、プロジェクタ１の仕様を容易に変更できる。
（５−２）拡張メインボード９４１を基板９４２および演算処理装置９４３を含んで構成したので、パソコン、デジタルビデオ、デジタルビデオカメラ等に設けられたビデオボードを介して画像情報を取り込む必要がなく、例えば、拡張コネクタ部９８のＬＡＮコネクタ９８１を介して、ネットワークから直接コンテンツを取り込むことができるため、プロジェクタ１の使い勝手が向上する。
【００７６】
（５−３）蓋部材８０の起立壁８２に吸気口８２Ａおよび排気口８２Ｂを形成したので、外部の空気を吸気口８２Ａから吸入して、蓋部材８０内部に収納されたボード９３，９４等を冷却した後、排気口８２Ｂから排出することにより、ボード９３，９４の冷却効率を向上できる。
（５−４）吸気口８２Ａおよび排気口８２Ｂを起立壁８２の異なる２面の略対角線上となる位置に形成したので、蓋部材８０内部を流れる冷却空気の経路を最も長く確保できるから、ボード９３，９４の冷却効率をさらに向上できる。
（５−５）蓋部材８０の内側でかつ吸気口８２Ａ近傍に冷却ファン９５を設けたので、外部から冷却空気を確実に蓋部材８０内部に取り込んで排出できるから、ボード９３，９４の冷却効率をさらに向上できる。
【００７７】
（５−６）演算処理装置９４３上に冷却ファン９５の送風方向に沿って延びるヒートシンク９４５を設けたので、冷却ファン９５からの冷却空気をヒートシンク９４５に長時間触れさせて、ヒートシンク９４５を確実に冷却できるから、演算処理装置９４３の耐久性を向上できる。
（５−７）演算処理装置９４３とヒートシンク９４５との間に弾性部材９４４を介装し、拡張メインボード９４１に間隔調整機構９４６を設けたので、間隔調整機構９４６を構成するねじ部材９４７の中央部９４７Ａを指でつまんで回転させるだけで、ヒートシンク９４５および基板９４２間の距離を適宜調整できる。したがって、演算処理装置９４３を損傷しない範囲でヒートシンク９４５への密着性を高めることができ、演算処理装置９４３の冷却効率を向上できる。
【００７８】
（５−８）ユニット収納部３６を設け、本体ボード９３をシールド部材９２を介して骨組部材３２，３３に係合固定したので、フレーム体３１の剛性を向上でき、フレームの構造強度を一層向上させることができる。
（５−９）拡張ユニット９０をユニット本体９１とシールド部材９２とを含んで構成し、このシールド部材９２を電気的導通部材３２１，３３１を介してフレーム体３１に導通させたので、シールド部材９２が電磁シールドとしての機能するから、拡張メインボード９４１を構成する演算処理装置９４３等の回路素子の外部機器による誤作動を確実に防止できる。また、逆に、拡張メインボード９４１の回路素子から外部機器への電磁ノイズの影響を抑えることができる。
【００７９】
（５−１０）冷却ファン９５を固定する固定部材９５１に整流板９５３を設けたので、、本体ボード９３および中間ボード９４９との間、および中間ボード９４９と拡張メインボード９４１との間に、整流板９５３で冷却空気の一部が誘導される。したがって、本体ボード９３および中間ボード９４９上に配置されたＭＰＵ等の回路素子を確実に冷却できる。
（５−１１）固定部材９５１を本体ボード９３上の回路素子９３１に当接させたので、、回路素子９３１に発生した熱を固定部材９５１に逃がして、この固定部材９５１を冷却ファン９５から供給される冷却空気で冷却する。よって、固定部材９５１がヒートシンクとして機能し、本体ボード９３の冷却効率をさらに向上できる。
【００８０】
（５−１２）拡張ユニット９０に冷却ファン９５の送風方向に沿って延びるハードディスクドライブ９６を設けたので、冷却ファン９５でハードディスクドライブを確実に冷却できる。
（５−１３）カードスロット９７の挿入部９７２にリブ９７３を設けたので、ＰＣカードを抜き取る際に指先でボタン９７４を押すと、指先がボタン９７４の上下に配置されたリブ９７３に接触することになり、人体表面にたまった静電気をリブ９７３を通して除去できるから、ＰＣカードの損傷を防止できる。
（５−１４）装置本体に排気ファン６１を設け、シールド部材９２に内部連通孔９２２Ｃを設けたので、蓋部材８０内部の冷却空気を、蓋部材８０に形成された排気口８２Ｂから直接排出するだけでなく、排気ファン６１を利用して、装置本体の内部を通しても排出できるから、冷却効率を向上できる。
【００８１】
なお、本発明は前記実施形態に限定されるものではなく、本発明の目的を達成できる範囲での変形、改良等は本発明に含まれるものである。
【図面の簡単な説明】
【図１】本発明の実施形態に係るプロジェクタの外観構成を表す概要斜視図。
【図２】前記実施形態におけるプロジェクタの外観構成を表す概要斜視図。
【図３】前記実施形態におけるプロジェクタの内部構成を表す概要斜視図。
【図４】前記実施形態におけるプロジェクタの内部構成を表す概要斜視図。
【図５】前記実施形態における光学ユニットを収納するライトガイドの構造を表す概要斜視図。
【図６】前記実施形態における光学ユニット構造を表す模式図。
【図７】前記実施形態における冷却流路を表す概要斜視図。
【図８】前記実施形態におけるフレーム体を構成する骨組部材詳細構造を表す斜視図。
【図９】前記実施形態におけるプロジェクタの筐体底面部を表す斜視図。
【図１０】前記実施形態における拡張ユニットの配置構造を表す斜視図。
【図１１】前記実施形態における拡張ユニットの構造を表す斜視図。
【図１２】前記実施形態におけるシールド部材の構造を表す斜視図。
【図１３】前記実施形態における拡張メインボードの詳細構造を表す分解斜視図。
【図１４】前記実施形態における間隔調整機構の詳細構造を表す拡大断面図。
【図１５】前記実施形態における拡張ユニットの冷却流路を表す概要平面図。
【図１６】前記実施形態における拡張ユニットの冷却流路を表す概要側面図。
【符号の説明】
１…プロジェクタ、２…外装ケース（筐体）、１０…面状体、３１…フレーム体、３２〜３５…骨組部材、３６…ユニット収納部、６１…排気ファン、８０…蓋部材、８１…天面部、８２…起立壁、８２Ａ…吸気口、８２Ｂ…排気口、９２…シールド部材、９３…本体ボード（拡張ボード）、９５…冷却ファン、９６…ハードディスクドライブ、９７…カードスロット、３２１，３３１…電気的導通部材、４１７…光源ランプ（光源）、４４１Ｒ，４４１Ｇ，４４１Ｂ…液晶パネル（光変調装置）、９２２Ａ…吸気側連通孔、９２２Ｂ…排気側連通孔、９２２Ｃ…内部連通孔、９３１…回路素子、９４１…拡張メインボード（拡張ボード）、９４２…基板、９４３…演算処理装置、９４４…弾性部材、９４５…ヒートシンク、９４６…間隔調整機構、９４９…中間ボード（拡張ボード）、９５１…固定部材、９５３…整流板、９７２…挿入部、９７３…リブ。
【図１】
2004264759.tif 000003
【図２】
2004264759.tif 000004
【図３】
2004264759.tif 000005
【図４】
2004264759.tif 000006
【図５】
2004264759.tif 000007
【図６】
2004264759.tif 000008
【図７】
2004264759.tif 000009
【図８】
2004264759.tif 000010
【図９】
2004264759.tif 000011
【図１０】
2004264759.tif 000012
【図１１】
2004264759.tif 000013
【図１２】
2004264759.tif 000014
【図１３】
2004264759.tif 000015
【図１４】
2004264759.tif 000016
【図１５】
2004264759.tif 000017
【図１６】
2004264759.tif 000018